(57)【要約】【課題】  インターネットの利益均等の機会を広く開く広告システムを提供する。【解決手段】  広告主のサイト局と開発企業のサーバーと一般消費者のパソコンとがインターネットを介して接続されて、互いに情報交換が可能なシステムに利用する。  パソコン上で複合プログラム立ち上げると、情報処理プログラムに続いて広告導入プログラムが立ち上がる。パソコンの画面では大きな面積にはこの情報処理プログラムが表示されるとともに、小面積には広告導入プログラムによる映像が表示される。一般消費者が広告導入プログラムを指示して選択すると、インターネットへの接続プログラムが起動する。このパソコンがインターネットを介して開発企業のサーバーに接続されて、その広告サイトから広告主の商品及びサービスに関する広告データが読み出される。インターネットを介して該広告がこのパソコンに送られて、該広告が表示され。【選択図】  図４
2006139737.tif 000002
【特許請求の範囲】
【請求項１】
商品及びサービスを一般消費者に販売する企業組織の広告主と、視距離通知装置と距離測定プログラムを開発販売する開発企業と、これら装置とプログラムを購入してパソコン上で使用する複数の一般消費者とが、前記広告主のサイト局と前記開発企業のサーバーと前記パソコンとがインターネットを介して接続されて、互いに情報交換が可能なシステムにおいて、
前記広告主から前記開発企業が前記商品及びサービスに関する広告依頼を受けて前記サーバー上に広告データを処理して広告サイトとして記憶装置に登録し、前記開発企業は前記距離測定プログラムに広告導入プログラムを組み込んで複合プログラムとし、この複合プログラムを前記視距離通知装置とともに一般消費者に販売し、一般消費者が前記視距離通知装置を前記パソコンの表示部近傍に設置するとともに回路的に接続し、更に前記複合プログラムを当該パソコンにソフト的に組み込み、その後一般消費者が当該パソコンの電源を入れると当該パソコンを情報処理可能にする基本プログラムが立ち上がり、次に前記距離測定プログラムが起動して、前記視距離通知装置が作動し、更に前記広告導入プログラムが立ち上がり、
当該パソコンの表示部の画面では大きな面積には前記基本プログラムに関する文字や映像が表示され、一般消費者が当該パソコンの画面に接近して所定距離以内になる場合には、当該画面の小面積にはこの作動中の距離測定プログラムにより警報文字や映像が表示されるとともに、更に別の小面積には作動中の広告導入プログラムにより広告開始文字や映像が表示され、一般消費者が当該大きな面積による情報処理作業を停止し、入力装置により前記広告開始文字や映像を指示して選択すると、この広告導入プログラムがインターネットへの接続プログラムを起動させ、このパソコンがインターネットを介して前記開発企業のサーバーに接続されて、前記広告サイトから前記広告主の商品及びサービスに関する広告データが読み出され、前記広告サイトではこのパソコンのインターネットのアドレスを記録し、その後インターネットを介して該広告がこのパソコンに送られて、その画面では受信した該広告が表示され、
更に前記広告サイトでは他の一般消費者のパソコンからの前記接続を計数して累計して記録し、当該開発企業は前記広告主に対して前記累計値に基づいて広告料を請求することを特徴とするインターネット上における距離測定プログラムを利用した広告システム。
【請求項２】
商品及びサービスを一般消費者に販売する企業組織の広告主と、情報処理プログラムを開発販売する開発企業と、このプログラムを購入してパソコン上で使用する複数の一般消費者とが、前記広告主のサイト局と前記開発企業のサーバーと前記パソコンとがインターネットを介して接続されて、互いに情報交換が可能なシステムにおいて、
前記広告主から前記開発企業が前記商品及びサービスに関する広告依頼を受けて前記サーバー上に広告データを処理して広告サイトとして記憶装置に登録し、前記開発企業は前記情報処理プログラムに広告導入プログラムを組み込んで複合プログラムとし、この複合プログラムを一般消費者に販売し、一般消費者がこの複合プログラムを前記パソコン上で立ち上げると、前記情報処理プログラムに続いて前記広告導入プログラムが立ち上がり、前記パソコンの画面では大きな面積にはこの情報処理プログラムによる処理対象の文字や映像が表示されるとともに、小面積には前記広告導入プログラムにより広告開始文字や映像が表示され、
一般消費者が当該情報処理プログラムに関する情報処理作業を停止し、入力装置により前記広告開始データを指示して選択すると、この広告導入プログラムがインターネットへの接続プログラムを起動させ、このパソコンがインターネットを介して前記開発企業のサーバーに接続されて、その広告サイトから前記広告主の商品及びサービスに関する広告データが読み出され、前記広告サイトではこのパソコンのインターネットのアドレスを記録し、その後インターネットを介して該広告がこのパソコンに送られて、その画面では受信した該広告が表示され、
更に前記広告サイトでは他の一般消費者のパソコンからの前記接続を計数して累計して記録し、当該広告サイトの前記開発企業は前記広告主に対して前記累計値に基づいて広告料を請求することを特徴とするインターネット上における情報処理プログラムを利用した広告システム。
【請求項３】
商品及びサービスを一般消費者に販売する企業組織の広告主と、情報処理プログラムを開発販売する開発企業と、このプログラムを購入してパソコン上で使用する複数の一般消費者とが、前記広告主のサイト局と前記開発企業のサーバーと前記パソコンとがインターネットを介して接続されて、互いに情報交換が可能なシステムにおいて利用される記録媒体であって、
前記広告主から前記開発企業が前記商品及びサービスに関する広告依頼を受けて前記サーバー上に広告データを処理して広告サイトとして記憶装置に登録し、前記開発企業は前記情報処理プログラムに広告導入プログラムを組み込んで複合プログラムとし、この複合プログラムを一般消費者に販売し、一般消費者がこの複合プログラムを前記パソコン上で立ち上げると、前記情報処理プログラムに続いて前記広告導入プログラムが立ち上がり、前記パソコンの画面では大きな面積にはこの情報処理プログラムによる処理対象の文字や映像が表示されるとともに、小面積には前記広告導入プログラムにより広告開始文字や映像が表示され、
一般消費者が当該情報処理プログラムに関する情報処理作業を停止し、入力装置により前記広告開始データを指示して選択すると、この広告導入プログラムがインターネットへの接続プログラムを起動させ、このパソコンがインターネットを介して前記サーバーに接続されて、その広告サイトから前記広告主の商品及びサービスに関する広告データが読み出され、前記広告サイトではこのパソコンのインターネット上のアクセス情報を記録し、その後インターネットを介して該広告がこのパソコンに送られて、その画面では受信した該広告が表示されるようにした前記複合プログラムを記録した記録媒体。
【発明の詳細な説明】
【技術分野】
【０００１】  この発明は、電子表示装置に対する情報処理プログラムを利用した広告システムに関し、特に、視距離通知プログラムが起動中に、インターネット上のＷＥＢを介して行なう視距離通知装置とそのプログラムを利用した広告システムに関する。
【技術背景】
【０００２】  従来、インターネット上のＷＥＢを介して行なう広告システムでは、検索閲覧・使用中のサイト局の表示画面において、左右側や文節の区切りの間に、ＪＡＶＡ等の動画や、静止画面や色付きの文字で、小面積画面の「広告升」が表示される。
電子装置の使用者がサイト局へのアクセス途中に、何らかの理由で「広告升」等をマウスで指示しクリックすると、「広告升」等がリンクされたＷＥＢサイトに変更・接続されて、その広告主の商品案内やホームページ側に画面が移動し、広告の行為が実行されることになる。
インターネット上のデータ転送が高速大量になり、また安価になったため、広くこのような広告システムが普及している。
【０００３】  即ち図１０において、一般の使用者（消費者）の例えばパソコン６はインターネット１に接続され高速大量情報通信（ブロードバンド）が可能な状態にあり、パソコン６上で文書や作図作業を行なっている。その途中で必要な事項例えば、宇宙航空展示会案内等を探すためインターネット１を介して検索サイト４や自己のプロバイダー５等にアクセスする。プロバイダー５の例えばｙａｈｏｏ社は通常接続企業（プロバイダー）であるとともに検索サービス企業でもあり、また専門の検索サイト４はキーワードから目的事項を無料で抽出してサービスする企業ｇｏｏｇｌｅ等である。また広告主のサイト２、３と開発企業のサーバー７も平等にインターネット１に接続されている。
【０００４】  これら検索企業では、パソコン６の使用者（消費者）間で、広く知られるようになると、そのアクセス数が１日何十万件、何百万件となり、このアクセス数は記録されている。検索サイト４等は「広告升」（バーナー広告）に対して、広告（主）依頼者例えば、車製造企業（フォード社）２、電気製品企業（ＤＥＣ社）３から多額の広告料金を受け取ることができる。なお説明上簡単のため、車製造企業（フォード社）＝広告主サイト＝２、プロバイダー＝検索サイト４、消費者＝パソコン６、開発企業＝サーバー７等と表示する。
この広告形態は、使用者（消費者）のパソコン６が目的の情報を画面の大部分で表示している時に、画面の一部に小面積の重ね画面として同時に表示される（バーナー広告）のようなものである。
【０００５】  このような検索サービス企業では、売上を広告に頼っており、多くの企業例えば車製造企業２、電気製品企業３から広告を取り、その料金で運営されている。
さて検索サイト４等側では、検索サイト（自社ホームページ）等をパソコン６に配信（表示）中に、自社商品展示とともに広告主の「広告升」を小面積画面で意図的に表示させて、掲載料金を徴収している。
この掲載料金は、サイト局側検（索サイト４，プロバイダー５）のホームページに対する一日当たりのアクセス数によって決められる。例えば、有名なサイトである、ＹＡＨＯＯやＧＯＯＧＬＥなどでは、毎日百万単位のアクセスがあるので、掲載料金もまたは月間何十万円などとなる。一方アクセスの少ない、開発企業７等無名のサイト局には掲載要請が殆ど無く、あっても低料金の契約しかできない市場状況となっている。
【０００６】  一方情報産業市場では、多くの中小企業群の中には、即ち開発企業の自社ホームページのサーバー７は無名に近くても、開発販売した情報技術プログラム８が業界や一般消費者から優良商品として受け入れられたものが少なくない。このような優良プログラムやソフトはＣＤ−ＲＯＭなど電子出版物の情報技術プログラム８として、市販され消費者に広く販売されて普及し、事務所や家庭の情報機器、パソコン６上で利用されている。
【発明の開示】
【発明が解決しようとする課題】
【０００７】  インターネットは世界の市民に平等に与えられた機会であるにかかわれず、資本の巨大さや、有名・無名により、各サイト側のホームページへのアクセス数には極端な差があり、その結果、バーナー広告などの「広告升」の設定が、大企業に独占された現況となっている。
この発明では、企業歴史や資本の規模や組織の大きさや、名声の有名・無名にかかわらず、バーナー広告などの「広告升」の設定が、後発・中小企業であっても、大企業と同等に可能にすること、即ち世界の市民に平等に与えられたインターネットの利益均等の機会を広く開くことを目的としている。
【課題を解決するための手段】
【０００８】  この発明は、上記問題を解決するためになされたもので、第１の発明では商品及びサービスを一般消費者に販売する企業組織の広告主と、視距離通知装置と距離測定プログラムを開発販売する開発企業と、これら装置とプログラムを購入してパソコン上で使用する複数の一般消費者とが、前記広告主のサイト局と前記開発企業のサーバーと前記パソコンとがインターネットを介して接続されて、互いに情報交換が可能なシステムにおいて、前記広告主から前記開発企業が前記商品及びサービスに関する広告依頼を受けて前記サーバー上に広告データを処理して広告サイトとして記憶装置に登録し、前記開発企業は前記距離測定プログラムに広告導入プログラムを組み込んで複合プログラムとし、この複合プログラムを前記視距離通知装置とともに一般消費者に販売し、一般消費者が前記視距離通知装置を前記パソコンの表示部近傍に設置するとともに回路的に接続し、更に前記複合プログラムを当該パソコンにソフト的に組み込み、その後一般消費者が当該パソコンの電源を入れると当該パソコンを情報処理可能にする基本プログラムが立ち上がり、次に前記距離測定プログラムが起動して、前記視距離通知装置が作動し、更に前記広告導入プログラムが立ち上がり、当該パソコンの表示部の画面では大きな面積には前記基本プログラムに関する文字や映像が表示され、一般消費者が当該パソコンの画面に接近して所定距離以内になる場合には、当該画面の小面積にはこの作動中の距離測定プログラムにより警報文字や映像が表示されるとともに、更に別の小面積には作動中の広告導入プログラムにより広告開始文字や映像が表示され、一般消費者が当該大きな面積による情報処理作業を停止し、入力装置により前記広告開始文字や映像を指示して選択すると、この広告導入プログラムがインターネットへの接続プログラムを起動させ、このパソコンがインターネットを介して前記開発企業のサーバーに接続されて、前記広告サイトから前記広告主の商品及びサービスに関する広告データが読み出され、前記広告サイトではこのパソコンのインターネットのアドレスを記録し、その後インターネットを介して該広告がこのパソコンに送られて、その画面では受信した該広告が表示され、更に前記広告サイトでは他の一般消費者のパソコンからの前記接続を計数して累計して記録し、当該開発企業は前記広告主に対して前記累計値に基づいて広告料を請求することを特徴とする。【０００９】  第２の発明では、商品及びサービスを一般消費者に販売する企業組織の広告主と、情報処理プログラムを開発販売する開発企業と、このプログラムを購入してパソコン上で使用する複数の一般消費者とが、前記広告主のサイト局と前記開発企業のサーバーと前記パソコンとがインターネットを介して接続されて、互いに情報交換が可能なシステムにおいて、前記広告主から前記開発企業が前記商品及びサービスに関する広告依頼を受けて前記サーバー上に広告データを処理して広告サイトとして記憶装置に登録し、前記開発企業は前記情報処理プログラムに広告導入プログラムを組み込んで複合プログラムとし、この複合プログラムを一般消費者に販売し、一般消費者がこの複合プログラムを前記パソコン上で立ち上げると、前��情報処理プログラムに続いて前記広告導入プログラムが立ち上がり、前記パソコンの画面では大きな面積にはこの情報処理プログラムによる処理対象の文字や映像が表示されるとともに、小面積には前記広告導入プログラムにより広告開始文字や映像が表示され、一般消費者が当該情報処理プログラムに関する情報処理作業を停止し、入力装置により前記広告開始データを指示して選択すると、この広告導入プログラムがインターネットへの接続プログラムを起動させ、このパソコンがインターネットを介して前記開発企業のサーバーに接続されて、その広告サイトから前記広告主の商品及びサービスに関する広告データが読み出され、前記広告サイトではこのパソコンのインターネットのアドレスを記録し、その後インターネットを介して該広告がこのパソコンに送られて、その画面では受信した該広告が表示され、更に前記広告サイトでは他の一般消費者のパソコンからの前記接続を計数して累計して記録し、当該広告サイトの前記開発企業は前記広告主に対して前記累計値に基づいて広告料を請求することを特徴とする。【００１０】  第３の発明では、前記広告主から前記開発企業が前記商品及びサービスに関する広告依頼を受けて前記サーバー上に広告データを処理して広告サイトとして記憶装置に登録し、前記開発企業は前記情報処理プログラムに広告導入プログラムを組み込んで複合プログラムとし、この複合プログラムを一般消費者に販売し、一般消費者がこの複合プログラムを前記パソコン上で立ち上げると、前記情報処理プログラムに続いて前記広告導入プログラムが立ち上がり、前記パソコンの画面では大きな面積にはこの情報処理プログラムによる処理対象の文字や映像が表示されるとともに、小面積には前記広告導入プログラムにより広告開始文字や映像が表示され、一般消費者が当該情報処理プログラムに関する情報処理作業を停止し、入力装置により前記広告開始データを指示して選択すると、この広告導入プログラムがインターネットへの接続プログラムを起動させ、このパソコンがインターネットを介して前記サーバーに接続されて、その広告サイトから前記広告主の商品及びサービスに関する広告データが読み出され、前記広告サイトではこのパソコンのインターネット上のアクセス情報を記録し、その後インターネットを介して該広告がこのパソコンに送られて、その画面では受信した該広告が表示されるようにした前記複合プログラムを記録した記録媒体とした。
【発明の効果】
【００１１】  この発明によれば、各サイト側のホームページへのアクセス数には無関係に、バーナー広告などの「広告升」の設定が誰でもできるようになった。また企業歴史や資本の規模や組織の大きさや、名声の有名・無名にかかわらず、バーナー広告などの「広告升」の設定が、後発・中小企業であっても、大企業と同等に可能になった。
世界の市民に平等に与えられたインターネットの利益均等の機会を広く開くことができた。
【発明を実施するための最良の形態】
【００１２】  以下、添付図面を参照して本考案の実施形態について説明する。
まず、図１において、インターネット１には、運営者サーバー７と広く全国、世界にいる使用者（消費者）電子端末のパソコン６等及び広告依頼者の車製造企業（フォード社）、電気製品企業（ＤＥＣ社）、・・・のサイト局２、３が接続されている。
運営者サーバー７は、このシステムを運営する事業者サイトであり、サーバー７の企業Ｂが開発生産した特定技術プログラム（距離測定プログラム）８は記録媒体のＣＤ−ＲＯＭに格納・印刷して、視距離通知装置１０とともに販売される。又運営者サーバー７には各種ファイル１７等を備えている。
世界にいる膨大な数のパソコン６使用者（消費者）が、視距離通知装置１０とともに特定技術プログラム８の記録媒体のＣＤ−ＲＯＭを購入する。【００１３】  この視距離通知装置１０は、使用者がパソコン６で情報処理の作業を行なう時に、画面に対してどの程度の距離Ｄを置いているかを通知するものである。この装置１０は電子画面を有する機器に外部から付加され、人間の労働環境のうち、目の健康を維持するために利用される。
次に図２において、開発企業の内一のサーバー７の構成について詳しく説明する。
サーバー７は通常の情報処理装置のパソコンからなり、中央演算装置（ＣＰＵ）１３、マウス１４、キーボード１５、表示装置１６と顧客ファイル１７、料金ファイル１８と基本プログラム１９と課金ファイル２２から構成される。これら顧客ファイル１７と料金ファイル１８が広告サイトを構成している。
このサーバー７は公知であるモデムとプロトコルにより外部にあるインターネット１に接続されている。【００１４】  顧客ファイル１７には複数の広告主（車製造企業のフォード社２）等について、宣伝広告データ３０と企業データ３１とからなり、広告主に関する情報がそれぞれ記録されている。
サーバー７を管理する企業の社員が、営業活動で広告主を獲得する。宣伝広告データ３０は消費者に知らせたい商品やサービスの案内である。
サーバー７の運営者とは、このシステムを管理運営し利益を目的とする企業である。更にサーバー７の運営者は、事業として図１に示す視距離通知装置（距離センサー）１０とともに情報技術プログラム８のＣＤ−ＲＯＭなど電子出版物を作成し、市場を介しまたは直接、パソコン６の使用者（消費者）に販売している。【００１５】  顧客ファイル１７では内容の変更頻度は、商品の寿命や企業の安定性により半年周期程度であり、広告契約が６ヶ月だと契約期限毎に変更されるものである。
宣伝広告データ３０では、車なら、例えばフォード社２の主婦用家庭車の写真と扱い勝手の図解説明等であり、企業データ３１はフォード社の住所、電話・ファックス番号、ホームページアドレス等から構成されている。
料金ファイル１８には、顧客ファイル１７のホームページアドレスに対応して複数の広告主・企業毎にページ別に作成されており、料金ファイル１８は累計欄３５、ホームページ欄３６、アクセス者欄３７、時間欄３８などから構成される。ＣＰＵ１３はタイマー２３を参照して料金ファイル１８の時間欄３８にアクセスの開始・終了を記録し、累計する。
課金ファイル２２には、料金ファイル１８の記録から算出した毎月企業毎の請求金額が広告主毎に記録される。サーバー７を管理する企業ではこれらを正確に管理して、利益を確保する。毎日毎時のアクセス回数は累計され、毎月の広告料金の請求に勘案され、アクセス毎に変更される。
【実施例１】
【００１６】  図３において、個々の使用者（消費者）のパソコン６を説明する。パソコン６はＣＤ−ＲＯＭドライバー４１やその他一般のパソコンと同様なＵＳＢ受け口２５、表示部４２、マウス４３、キーボード４４、ハードディスクの記憶装置４４などから構成される。
このパソコン６の使用者Ｈはサーバー７の運営事業者から視距離通知装置１０、情報技術プログラム８のＣＤ−ＲＯＭを購入している。
その後、使用者Ｈは視距離通知装置１０を表示部４２上に取り付け、ＵＳＢ端子２４とパソコン６側のＵＳＢ端子受け口２５とを接続する。そして距離測定（技術）プログラム８を記録したＣＤ−ＲＯＭをドライバー４１に装着し、内部記憶部のハードディスク４４に格納する。
ハードディスク４４には、基本ソフト、文書作成ソフト、描画ソフト、作表ソフトなども格納されている。【００１７】  視距離通知装置１０は外着け方式で、後から表示装置４２の枠に装着される。パソコン６との接続のために、ＵＳＢ端子が設けられ互いにデータ転送可能となっている。
さて、特定技術プログラム８は、視距離測定プログラム１１と広告導入プログラム１２とから構成される。即ち視距離測定プログラム１１に広告導入プログラムを組み込んで複合プログラムとしている。
視距離測定プログラム１１は情報処理プログラムであり、視距離通知装置１０が画面との距離Ｄを算出するという特定目的を行なう仕事プログラムとなり、広告導入プログラム１２が広告プログラムとなり、広告代理店的な機能を有する。【００１８】  図示しないが、広告（主）依頼者のフォード社２、ＤＥＣ社３、・・・では自社の新規・主力商品の広告を多色写真と図解と説明文書で作成する。その後、広告内容をサーバー７の運営事業者にインターネット上への掲載を期待して印刷物または、電子データとして渡している。また広告内容は自社サイト局２、３内に商品一覧の電子データとして閲覧可能に設定されている。
なお、視距離通知装置１０の距離センサーには、超音波型や赤外線型や電子カメラ型がある。【００１９】  次に、図１〜図３を参照して図４、図５に従って動作を説明する。使用者Ｈが図３のパソコン６の電源を入れると、このパソコン６を作動させるための基本ソフト例えばＷＩＮＤＯＷＳ、ＬＩＮＵＸなどが自動的に立ち上がる。
距離通知装置１０の電源もスイッチが同期開閉になっており、基本ソフトの立ち上げに続いて、視距離通知装置１０の電源オンとなり、距離測定プログラム（情報処理プログラム）１１が立ち上がる。更に距離測定プログラム８に続いて、広告導入プログラム１２が起動される。
その後使用者Ｈが本来業務の社内報告書を作成するために、例えば、「一太郎」や「ＷＯＲＤ」をマウス４３で当該アイコンを指示して起動させる、この時内蔵時計が参照されて開始時間が計測される。【００２０】  使用者Ｈが文書作成中に表示部４２の画面に向かっていると、視距離通知装置１０が常時使用者Ｈの顔面と表示部４２との距離を測定し、ＵＳＢ端子２４とＵＳＢ端子受け口２５を介して距離データＤをパソコン６に送る。図４において本来業務のため、文書表示はほぼ画面全体の広い面積で表示される。
使用者Ｈはマウス４３とキーボード４４を使用して、図４のような文書：あああ・・・ＫＫ・・・を作成する。その後使用者Ｈは作文に熱中するあまり、表示部４２に見入り例えば２５ｃｍまで接近する。電子画面に近過ぎると目の健康によくないことが産業労働分野から報告されている。
すると視距離通知装置１０から送られた距離データＤが距離測定プログラム８に取り入れられ、図４ＩＩのように、表示部４２には小面積の点滅する「赤ランプ」映像Ｗと文字「近過ぎ離れて」が表示される。【００２１】  更にこれらの表示の間に、仲介広告用の広告導入プログラム２６により、車の「写真」５２が表示される。車の「写真」５２は広告主フォード社から依頼された広告の入り口・導入部の映像であり、ｊａｖａなどにより動く簡単な動画である。
ここで、使用者Ｈは文書作成にむきになって、表示部４２に接近し過ぎたこと、連続労働で頭脳の働きが意思に着いて来ないことや、休憩の必要性を感じ、気休めに小面積の「写真」５２を矢印のカーソルで指示し、マウス４３をクリックする。
すると、パソコン６では広告導入プログラム２６により、インターネット接続プログラムが起動される。次にパソコン６は車の「写真」５２にリンクされた遠隔地にあるサーバー７のホームページに、インターネット１を介して接続される。【００２２】  サーバー７では車の「写真」が選択されたことを識別し、顧客ファイル１７にあるフォード社の宣伝広告データ３０を読み出してパソコン６にインターネット１を介して送る。一方料金ファイル１８内でフォード社の累計欄３５にはこれまでのアクセス回数に＋１し、アクセス者欄３６にパソコン６の使用者Ｈの識別コードを、時間欄３８にタイマー２３を参照して開始時間を記録する。【００２３】  一方インターネット１の先にある使用者Ｈの表示部４２には、フォード社の宣伝広告データ３０が仕事画面に覆い被さるように、重ね写される。図４ＩＩにすめ示すようにこの宣伝広告データ３０の占める面積は仕事の画面を殆ど覆い尽くすほどか全面表示であり、使用者Ｈは強制的にこの宣伝広告データ３０を見ることになる。
従って使用者Ｈは、表示部４２にある図４Ｉの忠告、点滅する「赤ランプ」Ｗと「近すぎ離れて」に従い、表示部４２から顔を適正な距離４０ｃｍまで離して、１、２分間図４ＩＩのフォード社の宣伝広告データ３０を見て、その内容を理解し、判断し、対応し気分転換する。【００２４】  その後文書の仕事画面を選択して本来の業務画面に戻る、そのときパソコン６からインターネット１を介したサーバー７へのアクセスが解除される。
サーバー７では、フォード社ページのアクセス者欄３７に使用者Ｈコードを、タイマー２３を参照して時間欄３８に終了時間（アクセス時間）をそれぞれ記録する。
このようなアクセスは他の多くの消費者（パソコン６）からも同様に行なわれる。
月末にサーバー７では、料金ファイル１８内のフォード社の累計欄３５にある数値と時間欄３８にある継続時間とから決められた所定の方式により広告代金を計算し、課金ファイル２２に集計し、その後広告依頼者のフォード社に請求する。他のページの広告主ＤＥＣ社等に着いても同様である。
なお、使用者Ｈが実行する業務ソフトはＣＡＤによる製図、ＶＩＳＩＯの図面、票制作のＥＸＣＥＬ等でもよい。
【実施例２】
【００２５】  次に他の実施例を説明する。
同様に、図１〜図３を参照して図５、図６に従って動作を説明する。使用者Ｈが図３のパソコン６の電源を入れると、このパソコン６を作動させるための基本ソフト例えばＷＩＮＤＯＷＳ、ＬＩＮＵＸなどが自動的に起動する。
基本ソフトの立ち上げに続いて、作図プログラム（情報処理プログラム）１１が起動する。その後使用者Ｈが本来業務の作図をするために、例えば、「ＶＩＳＩＯ」をマウス４３で当該アイコンを指示して起動させる、この時内蔵時計が参照されて開始時間が計測される。
広告主には図示しないビール企業が登録され、顧客ファイル１７、料金ファイル１８には対応するデータが格納されているものとする。
図５Ｉのように作図中では、ソフト「ＶＩＳＩＯ」が起動中であり、表字部４２の画面の大部分（大面積）では、作図中のマンガ画像Ｍが表示されている。【００２６】  パソコン６のＣＰＵ３３は内蔵時計により、作図作業が例えば３０分以上過ぎたことを検出し、広告導入プログラム１２の導入部を起動する。
図５ＩＩのように作図中では、表字部４２の画面の大部分（大面積）には、作図中のマンガ画像Ｍが、小部分（小面積）には「缶ビール」の絵Ｂが同時に表示される。
パソコン６の使用者Ｈが、文書作成途中に気分転換をしようと、「缶ビール」の絵Ｂをマウス４３で指示し、クリックする。【００２７】  広告導入プログラム１２が全体的に動作して、インターネットにより、このパソコン６は事業者のサーバー７に接続され、そこから広告データが送られ、図６のように「缶ビール」の宣伝が表字部４２の全面に現れる。
なお、サーバー７の料金ファイル１８内ホームページ欄３６には広告主のホームページアドレスが登録されるので、サーバー７では消費者のパソコン６からアクセスがあると、累計欄３５とアクセス者欄３６に必要事項を記録し、広告主のホームページに接続先を移動してそこから直接商品案内を送るようにしてもよい。
【産業上の利用可能性】
【００２８】  世界には多くのソフトハウスやゲーム制作企業があるが、これらは殆ど中小・個人事業体である、しかしこれらの小企業の特定プログラムは広く市場に受け入れられ、無数のパソコン上で使用されることもある。
このように広く普及した特定プログラムに、この広告導入プログラムを組み込んで複合プログラムとして販売することで、優秀だが小さいソフトハウスが利益をあげ資本力を自分の力で達成できる。中小ソフトベンチャーの育成に大いに活用・利用できる。
【図面の簡単な説明】
【００２９】
【図１】この発明の情報処理プログラムを利用した広告システムを実施する全体構成を示す図である。
【図２】この発明の主要部である開発社サーバーの構成を示す図である。
【図３】この発明の他の主要部である消費者パソコン側の構成を示す図である。
【図４】この発明の実施例１の動作を説明するためのパソコン側の画面を示す図である。
【図５】この発明の実施例２の動作を説明するためのパソコン側の初期画面を示す図である。
【図６】この発明の実施例２の動作を説明するためのパソコン側の次期画面を示す図である。
【図７】従来のインターネットを利用した広告を実施するシステムの全体構成を示す図である。
【符号の説明】
【００３０】  １  インターネット
２、３  広告主サイト
４、５  検索サイト
６  消費者パソコン
７  開発社サーバー
８  特定技術プログラム
１０  視距離通知装置
１１  視距離測定プログラム
１２  広告導入プログラム
１３、３３  ＣＰＵ
１４、４３  マウス
１５、４４  キー
１９  基本プログラム
１６、４２  表示装置
１７  顧客ファイル
１８  料金ファイル
２２  課金ファイル
２３  タイマー
３０  宣伝広告データ
３１  企業データ
３５  累計欄
３６  ホームページ欄
３７  アクセス者欄
３８  時間欄
４１  ドライバー
４５  記憶装置
５２、Ｂ  絵
Ｄ  距離
Ｈ  消費者
Ｗ  警告絵
【図１】
2006139737.tif 000003
【図２】
2006139737.tif 000004
【図３】
2006139737.tif 000005
【図４】
2006139737.tif 000006
【図５】
2006139737.tif 000007
【図６】
2006139737.tif 000008
【図７】
2006139737.tif 000009